(57)【要約】【課題】            従来の電子タグはアッセンブリ状態から、単体を取り外した際に廃棄する部分が非常に多くなり、その分コスト高となっていたこと、また、装着の作業も器用さや熟練性を要求される面倒なものとなってしまうという点である。【解決手段】        ベーステープの一方面に接着剤層を介して少なくとも非接触式の無線式ＩＣチップとアンテナを有する電子タグであって、その電子タグはペイスト部材上に複数を平行状態に剥離可能に並設貼装したアッセンブリとし、この電子タグの各々の表面にはベーステープと同幅もしくは広幅で前記接着剤層よりも長い表面剥離材で被覆し、その表面剥離紙の少なくともいずれか一方端側は無着状態としてあることとする。【選択図】          図１
2016018305.tif 000002
【特許請求の範囲】
【請求項１】
ベーステープの一方面に接着剤層を介して少なくとも非接触式の無線式ＩＣチップとアンテナを有する電子タグであって、その電子タグはペイスト部材上に複数を平行状態に剥離可能に並設貼装したアッセンブリとし、この電子タグの各々の表面にはベーステープと同幅もしくは広幅で前記接着剤層よりも長い表面剥離材で被覆し、その表面剥離紙の少なくともいずれか一方端側は無着状態としてあることを特徴とする電子タグ。
【請求項２】
前記した電子タグは所定間隔を隔てて設けられていることを特徴とする請求項１に記載の電子タグ。
【請求項３】
前記した電子タグは前記した無着部分にベーステープの側面に摘み部を形成してあることを特徴とする請求項１または２に記載の電子タグ。
【請求項４】
前記した摘み部の側部にはダイカットに必要な間隔を確保するドブが突設されていることを特徴とする請求項３に記載の電子タグ。
【請求項５】
前記した摘み部によって隣接する電子タグと密接状態にされていることを特徴とする請求項３に記載の電子タグ。
【請求項６】
前記した接着剤層はベーステープの片面もしくは両面に形成されていることを特徴とする請求項１から５のうち１項に記載の電子タグ。
【請求項７】
前記した電子タグが両面に接着剤層を有している場合、直線状のエッジを有するヘラを用いて、そのヘラのエッジの一方面に前記接着剤層の一部を接着させてペイスト部材から電子タグを剥離し、そのまま対象物の貼装対象面上にヘラを滑らせ、次いで、そのヘラをエッジを軸として回動させ、電子タグの裏面の接着剤層によって対象面に電子タグを貼装することを特徴とする電子タグの貼装方法。
【発明の詳細な説明】
【技術分野】
【０００１】
本発明は電子タグ、特に書籍管理用の電子タグ及び貼装方法に関する。
【背景技術】
【０００２】
従来、ベーステープ上に非接触式タグを接着剤層を介して設け、書籍のページ間へ貼装し、個体を管理する電子タグが知られており、この電子タグには加えて磁気式タグを併用して不正の持ち出しを監視することもできるようにしたタイプのものも知られている。
【０００３】
この電子タグはシート状あるいはロール状のペイスト部材（台紙）に並設されたアッセンブリとされ、一枚づつを剥離して、対象物の対象面に貼装して使用する。このアッセンブリ状態にあっては、ベーステープ上の少なくとも非接触式タグが設けられる接着剤層側には表面の剥離紙が備えられており、この剥離紙を剥がして使用することとなる。
【０００４】
この剥離紙は指先による剥離作業が行ない易いように長目のものとなっており、この剥離紙は廃棄するものであるため、費用的に大きな影響を与えるものとなっており、この長目の剥離紙を電子タグに合わせて好適に切断してカス取りができないと、全てを剥離してしまうことにもなってしまう。
【０００５】
また、従来の電子タグはペイスト部材に並設された状態から、一枚づつを取り外し、対象物の対象面へ移行し、貼装（貼着）する作業は、ほとんどが手作業とならざるを得ず、常に細かな作業となって面倒で、かつ、熟練性も要求されるものとなっている。
【０００６】
さらに、特許文献２として示すものは、電子タグを一枚づつミシン目に沿って千切って使用するもので、書籍のページ間への貼装には、複数の動作が必要となり、剥離紙を作業中も付けた状態となっており、精巧性が損なうこともあるものとなっている。
【先行技術文献】
【特許文献】
【０００７】
【特許文献１】特開２００９−１１６４９４号公報
【特許文献２】特許第５１１５２７８号公報
【発明の概要】
【発明が解決しようとする課題】
【０００８】
本発明が解決しようとする問題点は、従来の電子タグはアッセンブリ状態から、単体を取り外した際に廃棄する部分が非常に多くなり、その分コスト高となっていたこと、また、装着の作業も器用さや熟練性を要求される面倒なものとなってしまうという点である。
【課題を解決するための手段】
【０００９】
上記した問題点を解決するために、本発明に係る電子タグは、ベーステープの一方面に接着剤層を介して少なくとも非接触式の無線式ＩＣチップとアンテナを有する電子タグであって、その電子タグはペイスト部材上に複数を平行状態に剥離可能に並設貼装したアッセンブリとし、この電子タグの各々の表面にはベーステープと同幅もしくは広幅で前記接着剤層よりも長い表面剥離材で被覆し、その表面剥離紙の少なくともいずれか一方端側は無着状態としてあることを特徴としている。
【００１０】
また、本発明に係る電子タグは、前記した電子タグは所定間隔を隔てて設けられていることを特徴とし、前記した電子タグは前記した無着部分にベーステープの側面に摘み部を形成してあることを特徴とし、前記した摘み部の側部にはダイカットに必要な間隔を確保するドブが突設されていることを特徴としている。
【００１１】
さらに、本発明に係る電子タグは、前記した摘み部によって隣接する電子タグと密接状態にされていることを特徴とし、前記した接着剤層はベーステープの片面もしくは両面に形成されていることを特徴としている。
【００１２】
そして、本発明に係る電子タグの貼装方法は、前記した電子タグが両面に接着剤層を有している場合、直線状のエッジを有するヘラを用いて、そのヘラのエッジの一方面に前記接着剤層の一部を接着させてペイスト部材から電子タグを剥離し、そのまま対象物の貼装対象面上にヘラを滑らせ、次いで、そのヘラをエッジを軸として回動させ、電子タグの裏面の接着剤層によって対象面に電子タグを貼装することを特徴としている。
【発明の効果】
【００１３】
本発明に係る電子タグは上記のように構成されている。そのため、廃棄部分は最小限度となって無駄がなく、その分コストを節減することができ、また、作業性も取り扱い易いものとなっており、大きく向上する。
【００１４】
また、本発明に係る電子タグの貼装方法も、電子タグの両面に接着剤層がある場合、ヘラを使用することで、誰もが器用さや熟練性に関係なくスムーズに容易に実行でき、失敗する虞もなく、精巧な貼装状態を短時間で得ることができる。
【図面の簡単な説明】
【００１５】
【図１】本発明を実施した電子タグの５本を並設したアッセンブリ状態を示す平面図である。
【図２】２０本を並設したアッセンブリ状態を示す平面図である。
【図３】５本を並設し、電子タグの上下側縁に摘み部を形成したアッセンブリ状態を示す平面図である。
【図４】カットして単品とした状態の平面図である。
【図５】５本を並設し、電子タグの上下側縁に摘み部を形成して、間隔を有するアッセンブリ状態を示す平面図である。
【図６】ドブを突設した状態を示す平面図である。
【図７】カットして単品とした状態を示す平面図である。
【図８】ヘラを示す図であり、（Ａ）は取手の側縁を直状としたもの、（Ｂ）は取手の側縁を波状としたものを示す図である。
【図９】ヘラの別の例を示す図である。
【発明を実施するための形態】
【００１６】
図面として示し、実施例で説明したように構成したことで実現した。
【実施例１】
【００１７】
次に、本発明の好ましい実施の例を図面を参照して説明する。図１は第一の実施例を示すもので、図中１はペイスト部材（台紙）を示している。このペイスト部材１は矩形状のシートとなっており、その表面には後述する電子タグを保持するための糊が塗られているもので、図にあって、その上下方向の寸法は１５５ｍｍを想定している。
【００１８】
このペイスト部材１の表面上には、本実施例にあって５本の電子タグ２、２‥が所定間隔（電子タグ２の幅と同等かそれより広い）を隔てて平行に並設されている。この電子タグ２は幅が５ｍｍで長さが１４５ｍｍを想定しており、その長さ方向の端縁とペイスト部材１の上下端縁との間には各々５ｍｍの余裕を持たせている。
【００１９】
また、図中３、３‥は電子タグ２、２‥における、少なくとも非接触式の無線タグ、即ち、ＲＡＭによるＵＨＦ帯のＩＣチップとアンテナ（特に図示せず）が備えられるページ間挿し込み用の作用部を示しており、長さを中央寄りで９５ｍｍを想定している。そして、前記無線タグを備え、挿し込まれた各ページの喉奥部分に貼着するための両面テープが、この作用部分を渡架して１１５ｍｍの長さで備えられている。従って、接着剤の存在しない表面剥離紙の部分が電子タグ２、２‥の上下端に各々１５ｍｍづつ存在しており、その部分を摘むことで簡単に剥離紙を外すことができるものとなっている。この分接着剤の量も減らし、カス取りの必要性も減ることとなる。尚、この場合の表面剥離紙は５本の電子タグ２、２‥の全体に亘って設けても、電子タグ２、２‥の１本ごとに設けてもよく、この電子タグ２、２‥を１本の単品とするには表面剥離紙とペイスト部材１をダイカットしても、１本づつをペイスト部材１から剥がし取ってもよい。
【実施例２】
【００２０】
次に、図２を参照して第二の実施例を説明する。尚、第一の実施例と共通する部分には同一の符号を付して詳しい説明は省略する。この第二の実施例の場合、ペイスト部材１の上下方向の長さは第一の実施例と同一としてあるが、左右の長さを３．５〜４．０倍としてあり、電子タグ２、２‥を２０本平行に並設したものとなっている。
【００２１】
この場合、電子タグ２、２‥の１本ごとに表面剥離紙が設けられた構成となっており、１本ごとに、ペイスト部材１ごとダイカットされ、使用に供されるか、もしくは１本ごとにペイスト部材１から取り外し、使用に供される。
【実施例３】
【００２２】
続いて、図３及び図４を参照して第三の実施例を説明する。この第三の実施例は第一の実施例を応用変形させたもので、電子タグ２、２‥の上下端部の一方側縁に摘み部４、４ａを一体的に形成し、隣接する電子タグ２と連接状態としてある。勿論、最も端部となる電子タグ２にあってはペイスト部材１の側縁とその摘み部４、４ａの外側縁が一致されることとなる。この場合、摘み部４、４ａを含めた状態で電子タグ２を１本づつダイカットする。表面剥離紙は電子タグ２、２‥の１本づつでも、５本全てに対して設けられていてもよい。
【００２３】
この場合、上面剥離紙の接着剤のない部分は電子タグ２の両端から各々２０ｍｍを想定し、より一層、上面剥離紙の剥離作業を行ない易くし、摘み部４、４ａ部分の操作も行ない易いものとしている。
【実施例４】
【００２４】
また、図５及び図７を参照して第四の実施例を説明する。この第四の実施例は、第三の実施例を応用変形させたもので、摘み部４、４ａと隣接する電子タグ２との間には、カッティングのための間隔を設けてある。この間隔は電子タグ２の幅よりも小さく設定されている。
【００２５】
さらに、本実施例の場合、前記した間隔に代えて、あるいは併用して、摘み部４、４ａの外方側縁に確実に間隔を保有するためのスペーサとしてドブ５、５を突設させることもできる。このドブ５は摘み部４、４ａと同質材でその摘み部４、４ａと一体となっており、２．３ｍｍの長さを想定しており、使用時には図７で示すように切り落とされる。
【００２６】
本実施例に係る電子タグは上記のように構成されている。これらの実施例では作用部３はペイスト部材１及び上面剥離紙から見て中央部分に存在しているが、これは長手方向の一方側に片寄せて形成されるものとしてもよい。
【００２７】
また、作用部３として両面テープを使用することとしているが、これは必要に応じて片面接着剤のものとすることもできる。
【００２８】
図８乃至図９として示すのは、前記した単品としての電子タグ２を書籍のページ間、それも喉奥へ貼装するために使用するヘラを示している。図８（Ａ）として示すものは取手の両側縁が直状となり、（Ｂ）は取手の両側縁に指掛け用の凹凸を形成する波状となっている。この各ヘラ６、６ａの作業用エッジ７、７ａは直線状に形成されている。
【００２９】
特に、電子タグ２が両面テープを使用している場合、電子タグ２をペイスト部材１から剥がして露呈した両面テープにこのヘラ６、６ａのエッジ７、７ａの一方面を宛がい、そのエッジ７、７ａの一方面に電子タグ２の作用部３（接着剤）部分を接着させ、そのままの状態で、エッジ７、７ａの他方面側を書籍のページ間に沿って滑らせ、喉奥部分まで挿し込み、表面剥離紙を剥がし、エッジ７、７ａを軸として回動させて、両面テープの他方面をそのページの奥部分に接着させ転移させる。このまま、書籍のページ間を閉じることで、電子タグ２はページ間に貼装されることとなる。
【００３０】
また、前記した作業は、書籍が古いもので、ページ紙葉の紙質が劣化している場合、前記した回動に加え、ヘラ６、６ａを持った手の手首を手前に捻り返すことでより一層のスムーズな貼装が可能となる。
【００３１】
そして、図９として示すのはヘラ８であり、図８に示した例の変形例で、全体として半月状をしている。この場合もエッジ９は直線状とされており、使用方法、作用は図８に示したヘラ６、６ａと同様である。
【産業上の利用可能性】
【００３２】
本発明に係る電子タグ及びその貼装方法は上記のように構成されている。実施例における電子タグ２では非接触式タグを搭載することを記しているが、不正持出監視用の磁気式タグを併用して搭載することができることは勿論である。
【００３３】
また、摘み部４、４ａがある場合、その摘み部４、４ａを指先で摘んでページ間奥へ滑り込ませることもでき、この場合、片面接着剤の構成でも作業は可能となる。
【符号の説明】
【００３４】
１    ペイスト部材
２    電子タグ
３    作用部
４、４ａ    摘み部
５    ドブ
６、６ａ，８    ヘラ
７、７ａ，９    エッジ
【図１】
2016018305.tif 000003
【図２】
2016018305.tif 000004
【図３】
2016018305.tif 000005
【図４】
2016018305.tif 000006
【図５】
2016018305.tif 000007
【図６】
2016018305.tif 000008
【図７】
2016018305.tif 000009
【図８】
2016018305.tif 000010
【図９】
2016018305.tif 000011